(57)【要約】【課題】立体感を供しうる階層構造の表示制御装置を提供する。【解決手段】階層構造表示情報生成部１１が階層構造情報１００を受信し、表示オブジェクト管理部１４が、フォルダ表示オブジェクト管理データベース１５から、階層構造情報に含まれるフォルダＩＤに対応する３次元のフォルダ表示オブジェクトを検索し、階層構造情報に含まれるコンテンツＩＤに対応する３次元のコンテンツ表示オブジェクトを検索する。階層構造表示情報生成部１１は、検索された３次元のフォルダ表示オブジェクトと３次元のコンテンツ表示オブジェクトとを基に、階層構造を３次元表示するための階層構造表示情報を生成するとともに、階層構造が当該階層構造表示情報により３次元表示された２次元の表示領域で位置が指定された場合の位置の位置情報を受信して、生成した階層構造表示情報を当該位置情報により変更する。【選択図】      図１
2004171456.tif 000002
【特許請求の範囲】
【請求項１】
フォルダのフォルダＩＤと当該フォルダに含まれるコンテンツのコンテンツＩＤとを対応づけて構成された階層構造情報を受信する手段と、
フォルダＩＤに対応づけて３次元のフォルダ表示オブジェクトが格納されるフォルダ表示オブジェクト管理データベースから、前記受信された階層構造情報に含まれるフォルダＩＤに対応する３次元のフォルダ表示オブジェクトを検索するとともに、コンテンツＩＤに対応づけて３次元のコンテンツ表示オブジェクトが格納されるコンテンツ表示オブジェクト管理データベースから、当該階層構造情報に含まれるコンテンツＩＤに対応する３次元のコンテンツ表示オブジェクトを検索する手段と、
検索された３次元のフォルダ表示オブジェクトと３次元のコンテンツ表示オブジェクトとを基に、階層構造を３次元表示するための階層構造表示情報を生成するとともに、階層構造が当該階層構造表示情報により３次元表示された２次元の表示領域で位置が指定された場合の当該位置の位置情報を受信して、前記生成した階層構造表示情報を当該受信した位置情報により変更する手段と
を備える階層構造の表示制御装置。
【請求項２】
前記検索された３次元のフォルダ表示オブジェクト及び３次元のコンテンツ表示オブジェクトの表示座標を前記階層構造情報を基に演算する手段を備え、前記階層構造表示情報を生成変更する手段は、当該表示座標を用いることを特徴とする請求項１記載の階層構造の表示制御装置。
【請求項３】
前記フォルダ表示オブジェクト管理データベースと前記コンテンツ表示オブジェクト管理データベースの少なくとも一方を備える請求項１または２記載の階層構造の表示制御装置。
【請求項４】
前記フォルダ表示オブジェクト管理データベースと前記コンテンツ表示オブジェクト管理データベースとを備え、
前記３次元のフォルダ表示オブジェクトとコンテンツ表示オブジェクトとを検索する手段は、フォルダＩＤとフォルダ表示オブジェクトを受信して、前記フォルダ表示オブジェクト管理データベースに格納し、コンテンツＩＤとコンテンツ表示オブジェクトを受信して、前記コンテンツ表示オブジェクト管理データベースに格納する
ことを特徴とする請求項１または２記載の階層構造の表示制御装置。
【請求項５】
階層構造の表示制御装置が、フォルダのフォルダＩＤと当該フォルダに含まれるコンテンツのコンテンツＩＤとを対応づけて構成された階層構造情報を受信し、
前記階層構造の表示制御装置が、フォルダＩＤに対応づけて３次元のフォルダ表示オブジェクトが格納されるフォルダ表示オブジェクト管理データベースから、前記受信された階層構造情報に含まれるフォルダＩＤに対応する３次元のフォルダ表示オブジェクトを検索するとともに、コンテンツＩＤに対応づけて３次元のコンテンツ表示オブジェクトが格納されるコンテンツ表示オブジェクト管理データベースから、当該階層構造情報に含まれるコンテンツＩＤに対応する３次元のコンテンツ表示オブジェクトを検索し、
前記階層構造の表示制御装置が、検索された３次元のフォルダ表示オブジェクトと３次元のコンテンツ表示オブジェクトとを基に、階層構造を３次元表示するための階層構造表示情報を生成するとともに、階層構造が当該階層構造表示情報により３次元表示された２次元の表示領域で位置が指定された場合の当該位置の位置情報を受信して、前記生成した階層構造表示情報を当該受信した位置情報により変更する階層構造の表示制御方法。
【請求項６】
前記階層構造の表示制御装置が、前記検索された３次元のフォルダ表示オブジェクト及び３次元のコンテンツ表示オブジェクトの表示座標を前記階層構造情報を基に演算することを特徴とする請求項５記載の階層構造の表示制御方法。
【請求項７】
請求項１乃至４のいずれかに記載の階層構造の表示制御装置をコンピュータに構成させるプログラム。
【請求項８】
請求項１乃至４のいずれかに記載の階層構造の表示制御装置をコンピュータに構成させるプログラムを格納した記録媒体。
【発明の詳細な説明】
【０００１】
【発明の属する技術分野】
本発明は、２次元の表示領域で階層構造の３次元表示を行うための表示制御装置、方法、プログラム及び記録媒体に関する。
【０００２】
【従来の技術】
従来の階層構造の表示方法にあっては、非特許文献１にあるように、２次元の表示領域（ウィンドウ）において、ある階層の要素を２次元表示し、位置が指定（クリック）されると、今度は、指定された位置に表示された要素の下の階層の要素を、別の表示領域（ウィンドウ）に表示する。
【０００３】
【非特許文献１】
パソコン用語辞典  ’９９−２０００年版  技術評論社  ｐ．２２６
【０００４】
【発明が解決しようとする課題】
しかしながら、上記従来の階層構造の表示方法は、いわゆる２次元表示を複数行うことなので、立体感に乏しいという問題があった。従って、階層構造の把握が容易に行えなかった。
【０００５】
そこで本発明は、上記の従来の課題に鑑みてなされたものであり、その目的とするところは、立体感を供しうる階層構造の表示制御装置、方法、プログラム及び記録媒体を提供することにある。
【０００６】
【課題を解決するための手段】
上記従来の課題を解決するために、請求項１の本発明は、フォルダのフォルダＩＤと当該フォルダに含まれるコンテンツのコンテンツＩＤとを対応づけて構成された階層構造情報を受信する手段と、フォルダＩＤに対応づけて３次元のフォルダ表示オブジェクトが格納されるフォルダ表示オブジェクト管理データベースから、前記受信された階層構造情報に含まれるフォルダＩＤに対応する３次元のフォルダ表示オブジェクトを検索するとともに、コンテンツＩＤに対応づけて３次元のコンテンツ表示オブジェクトが格納されるコンテンツ表示オブジェクト管理データベースから、当該階層構造情報に含まれるコンテンツＩＤに対応する３次元のコンテンツ表示オブジェクトを検索する手段と、検索された３次元のフォルダ表示オブジェクトと３次元のコンテンツ表示オブジェクトとを基に、階層構造を３次元表示するための階層構造表示情報を生成するとともに、階層構造が当該階層構造表示情報により３次元表示された２次元の表示領域で位置が指定された場合の当該位置の位置情報を受信して、前記生成した階層構造表示情報を当該受信した位置情報により変更する手段とを備える階層構造の表示制御装置をもって解決手段とする。
【０００７】
請求項１の階層構造の表示制御装置によれば、フォルダのフォルダＩＤと当該フォルダに含まれるコンテンツのコンテンツＩＤとを対応づけて構成された階層構造情報を受信する手段と、フォルダＩＤに対応づけて３次元のフォルダ表示オブジェクトが格納されるフォルダ表示オブジェクト管理データベースから、前記受信された階層構造情報に含まれるフォルダＩＤに対応する３次元のフォルダ表示オブジェクトを検索するとともに、コンテンツＩＤに対応づけて３次元のコンテンツ表示オブジェクトが格納されるコンテンツ表示オブジェクト管理データベースから、当該階層構造情報に含まれるコンテンツＩＤに対応する３次元のコンテンツ表示オブジェクトを検索する手段と、検索された３次元のフォルダ表示オブジェクトと３次元のコンテンツ表示オブジェクトとを基に、階層構造を３次元表示するための階層構造表示情報を生成するとともに、階層構造が当該階層構造表示情報により３次元表示された２次元の表示領域で位置が指定された場合の当該位置の位置情報を受信して、前記生成した階層構造表示情報を当該受信した位置情報により変更する手段とを備えるので、立体感をもった階層構造の表示が行え、そのため、階層構造を容易に把握することができる。
【０００８】
また、請求項２の本発明は、前記検索された３次元のフォルダ表示オブジェクト及び３次元のコンテンツ表示オブジェクトの表示座標を前記階層構造情報を基に演算する手段を備え、前記階層構造表示情報を生成変更する手段は、当該表示座標を用いることを特徴とする請求項１記載の階層構造の表示制御装置をもって解決手段とする。
【０００９】
請求項２の階層構造の表示制御装置によれば、検索された３次元のフォルダ表示オブジェクト及び３次元のコンテンツ表示オブジェクトの表示座標を階層構造情報を基に演算する手段を備え、階層構造表示情報を生成変更する手段は、当該表示座標を用いることにより、立体感をもった階層構造の表示が行える。
【００１０】
また、請求項３の本発明は、前記フォルダ表示オブジェクト管理データベースと前記コンテンツ表示オブジェクト管理データベースの少なくとも一方を備える請求項１または２記載の階層構造の表示制御装置をもって解決手段とする。
【００１１】
また、請求項４の本発明は、前記フォルダ表示オブジェクト管理データベースと前記コンテンツ表示オブジェクト管理データベースとを備え、前記３次元のフォルダ表示オブジェクトとコンテンツ表示オブジェクトとを検索する手段は、フォルダＩＤとフォルダ表示オブジェクトを受信して、前記フォルダ表示オブジェクト管理データベースに格納し、コンテンツＩＤとコンテンツ表示オブジェクトを受信して、前記コンテンツ表示オブジェクト管理データベースに格納することを特徴とする請求項１または２記載の階層構造の表示制御装置をもって解決手段とする。
【００１２】
請求項３の階層構造の表示制御装置によれば、３次元のフォルダ表示オブジェクトとコンテンツ表示オブジェクトとを検索する手段は、フォルダＩＤとフォルダ表示オブジェクトを受信して、フォルダ表示オブジェクト管理データベースに格納し、コンテンツＩＤとコンテンツ表示オブジェクトを受信して、コンテンツ表示オブジェクト管理データベース１６に格納するので、立体感をもった階層構造の表示が行える。
【００１３】
また、請求項５の本発明は、階層構造の表示制御装置が、フォルダのフォルダＩＤと当該フォルダに含まれるコンテンツのコンテンツＩＤとを対応づけて構成された階層構造情報を受信し、前記階層構造の表示制御装置が、フォルダＩＤに対応づけて３次元のフォルダ表示オブジェクトが格納されるフォルダ表示オブジェクト管理データベースから、前記受信された階層構造情報に含まれるフォルダＩＤに対応する３次元のフォルダ表示オブジェクトを検索するとともに、コンテンツＩＤに対応づけて３次元のコンテンツ表示オブジェクトが格納されるコンテンツ表示オブジェクト管理データベースから、当該階層構造情報に含まれるコンテンツＩＤに対応する３次元のコンテンツ表示オブジェクトを検索し、前記階層構造の表示制御装置が、検索された３次元のフォルダ表示オブジェクトと３次元のコンテンツ表示オブジェクトとを基に、階層構造を３次元表示するための階層構造表示情報を生成するとともに、階層構造が当該階層構造表示情報により３次元表示された２次元の表示領域で位置が指定された場合の当該位置の位置情報を受信して、前記生成した階層構造表示情報を当該受信した位置情報により変更する階層構造の表示制御方法をもって解決手段とする。
【００１４】
請求項５の階層構造の表示制御方法によれば、階層構造の表示制御装置が、フォルダのフォルダＩＤと当該フォルダに含まれるコンテンツのコンテンツＩＤとを対応づけて構成された階層構造情報を受信し、前記階層構造の表示制御装置が、フォルダＩＤに対応づけて３次元のフォルダ表示オブジェクトが格納されるフォルダ表示オブジェクト管理データベースから、前記受信された階層構造情報に含まれるフォルダＩＤに対応する３次元のフォルダ表示オブジェクトを検索するとともに、コンテンツＩＤに対応づけて３次元のコンテンツ表示オブジェクトが格納されるコンテンツ表示オブジェクト管理データベースから、当該階層構造情報に含まれるコンテンツＩＤに対応する３次元のコンテンツ表示オブジェクトを検索し、前記階層構造の表示制御装置が、検索された３次元のフォルダ表示オブジェクトと３次元のコンテンツ表示オブジェクトとを基に、階層構造を３次元表示するための階層構造表示情報を生成するとともに、階層構造が当該階層構造表示情報により３次元表示された２次元の表示領域で位置が指定された場合の当該位置の位置情報を受信して、前記生成した階層構造表示情報を当該受信した位置情報により変更するので、立体感をもった階層構造の表示が行え、そのため、階層構造情報を容易に把握することができる。
【００１５】
また、請求項６の本発明は、前記階層構造の表示制御装置が、前記検索された３次元のフォルダ表示オブジェクト及び３次元のコンテンツ表示オブジェクトの表示座標を前記階層構造情報を基に演算することを特徴とする請求項５記載の階層構造の表示制御方法。
【００１６】
請求項６の階層構造の表示制御方法によれば、階層構造の表示制御装置が、検索された３次元のフォルダ表示オブジェクト及び３次元のコンテンツ表示オブジェクトの表示座標を階層構造情報を基に演算するので、立体感をもった階層構造の表示が行える。
【００１７】
また、請求項７の本発明は、請求項１乃至４のいずれかに記載の階層構造の表示制御装置をコンピュータに構成させるプログラムをもって解決手段とする。
【００１８】
請求項７の本発明は、請求項１乃至４のいずれかに記載の階層構造の表示制御装置をコンピュータに構成させるプログラムにより流通性を高めることができる。
【００１９】
また、請求項８の本発明は、請求項１乃至４のいずれかに記載の階層構造の表示制御装置をコンピュータに構成させるプログラムを格納した記録媒体をもって解決手段とする。
【００２０】
請求項８の本発明は、請求項１乃至４のいずれかに記載の階層構造の表示制御装置をコンピュータに構成させるプログラムを格納した記録媒体により流通性を高めることができる。
【００２１】
【発明の実施の形態】
以下、本発明の実施の形態を図面を参照して説明する。
【００２２】
図１は、本実施の形態の構成を示す図である。
【００２３】
本発明の階層構造の表示制御方法を行う階層構造表示制御装置１と、階層構造を示す階層構造情報の管理を行う階層構造管理装置２とはネットワークを介して接続され、階層構造表示制御装置１と３Ｄブラウザ３及びマウス管理装置４とがネットワークを介して接続されている。３Ｄブラウザ３は、階層構造表示制御装置１からの階層構造表示情報２００という情報を基に、２次元の表示領域における３次元表示を行うものである。マウス管理装置４は、入力装置であるマウスにより、２次元の表示領域における位置の指定操作があると、該指定された位置の位置情報を階層構造表示制御装置１に送信するものである。
【００２４】
階層構造表示制御装置１は、階層構造表示情報を生成等する階層構造表示情報生成部１１と、フォルダ表示座標の演算等を行うフォルダ表示座標演算部１２と、コンテンツ表示座標の演算等を行うコンテンツ表示座標演算部１３と、フォルダ表示オブジェクトとコンテンツ表示オブジェクトの管理を行う表示オブジェクト管理部１４と、３次元のフォルダ表示オブジェクト（以下、フォルダ表示オブジェクト１０１）を記憶するフォルダ表示オブジェクト管理データベース１５と、３次元のコンテンツ表示オブジェクト（以下、コンテンツ表示オブジェクト１０２）を記憶するコンテンツ表示オブジェクト管理データベース１６とを備える装置である。
【００２５】
図２は、本実施の形態の作用を示す図である。
【００２６】
階層構造管理装置２は、フォルダＩＤとフォルダ表示オブジェクト１０１を対応づけて階層構造表示制御装置１に送信する（ステップＳ１）。階層構造表示制御装置１がこれを受信すると、階層構造表示制御装置１の表示オブジェクト管理部１４は、このフォルダＩＤとフォルダ表示オブジェクト１０１をフォルダ表示オブジェクト管理データベース１５に格納する（ステップＳ３）。
【００２７】
階層構造管理装置２は、コンテンツＩＤとコンテンツ表示オブジェクト１０２を対応づけて階層構造表示制御装置１に送信する（ステップＳ５）。階層構造表示制御装置１がこれを受信すると、階層構造表示制御装置１の表示オブジェクト管理部１４は、このコンテンツＩＤとコンテンツ表示オブジェクト１０２をコンテンツ表示オブジェクト管理データベース１６に格納する（ステップＳ７）。
【００２８】
こうしてフォルダ表示オブジェクト管理データベース１５及びコンテンツ表示オブジェクト管理データベース１６にデータが蓄積される。
【００２９】
さて、３Ｄブラウザ３への表示の際には、階層構造管理装置２が階層構造を示す階層構造情報１００を階層構造表示制御装置１に送信する（ステップＳ１１）。階層構造情報１００では、フォルダＩＤに該フォルダＩＤをもつフォルダに含まれるフォルダのフォルダＩＤまたはコンテンツのコンテンツＩＤが対応づけられている。すなわち、階層構造情報１００は階層構造を示している。
【００３０】
階層構造表示情報生成部１１は階層構造情報１００を受信すると、フォルダ表示座標演算部１２に対し、この階層構造情報１００を与えて、フォルダ表示オブジェクト１０１と該フォルダ表示オブジェクト１０１の表示座標を要求する（ステップＳ１３）。フォルダ表示座標演算部１２は、表示オブジェクト管理部１４に対し、階層構造情報１００に含まれるフォルダＩＤを与えて、フォルダ表示オブジェクト１０１を要求をする（ステップＳ１５）。表示オブジェクト管理部１４は、与えられたフォルダＩＤに対応づけられたフォルダ表示オブジェクト１０１を、フォルダ表示オブジェクト管理データベース１５から検索し（ステップＳ１７）、検索したフォルダ表示オブジェクト１０１をフォルダ表示座標演算部１２に返送する（ステップＳ１９）。フォルダ表示座標演算部１２は、階層構造情報１００により示される階層構造に基づいて、返送されたフォルダ表示オブジェクト１０１の表示座標を演算し（ステップＳ２１）、返送されたフォルダ表示オブジェクト１０１と演算した表示座標とを階層構造表示情報生成部１１に送信する（ステップＳ２３）。本実施の形態において表示座標とは、例えば、ｘ，ｙ，ｚ軸の位置を表す３次元ベクトルである。
【００３１】
また、階層構造表示情報生成部１１はコンテンツ表示座標演算部１３に対し、階層構造情報１００を与えて、コンテンツ表示オブジェクト１０２と該コンテンツ表示オブジェクト１０２の表示座標を要求する（ステップＳ３３）。コンテンツ表示座標演算部１３は、表示オブジェクト管理部１４に対し、階層構造情報１００に含まれるコンテンツＩＤを与えて、コンテンツ表示オブジェクト１０２を要求する（ステップＳ３５）。表示オブジェクト管理部１４は、与えられたコンテンツＩＤに対応づけられたコンテンツ表示オブジェクト１０２を、コンテンツ表示オブジェクト管理データベース１６から検索し（ステップＳ３７）、検索したコンテンツ表示オブジェクト１０２をコンテンツ表示座標演算部１３に返送する（ステップＳ３９）。コンテンツ表示座標演算部１３は、階層構造情報１００により示される階層構造に基づいて、返送されたコンテンツ表示オブジェクト１０２の表示座標を演算し（ステップＳ４１）、この返送されたコンテンツ表示オブジェクト１０２と演算した表示座標とを階層構造表示情報生成部１１に送信する（ステップＳ４３）。
【００３２】
階層構造表示情報生成部１１は、フォルダ表示座標演算部１２からのフォルダ表示オブジェクト１０１及び表示座標、並びにコンテンツ表示座標演算部１３からのコンテンツ表示オブジェクト１０２及び表示座標を基に、階層構造表示情報２００を作成し（ステップＳ５１）、この階層構造表示情報２００を３Ｄブラウザ３に送信する（ステップＳ５３）。３Ｄブラウザ３は階層構造表示情報２００を基に、図３（ａ）に示すような２次元領域における３次元表示を行う（ステップＳ５５）。ここでは、例えば、フォルダＡに含まれるコンテンツのコンテンツ表示オブジェクト１０２は、表示されない状態になっている。
【００３３】
階層構造表示情報生成部１１は、マウス管理装置４から、この２次元領域において指定された位置、例えばフォルダＡの位置の位置情報を受信する（ステップＳ６１）と、この位置情報に基づいて、階層構造表示情報２００を階層構造表示情報２０１へ変更し（ステップＳ６３）、この階層構造表示情報２０１を３Ｄブラウザ３に送信する（ステップＳ６５）。３Ｄブラウザ３は階層構造表示情報２０１を基に、図３（ｂ）に示すような２次元領域における３次元表示を行う（ステップＳ６７）。ここでは、フォルダＡに含まれるコンテンツＢのコンテンツ表示オブジェクト１０２により、前記フォルダＡとともにコンテンツＢが表示されるので、階層構造を容易に把握することができる。
【００３４】
以上説明したように、本実施の形態によれば、階層構造表示制御装置１は、フォルダのフォルダＩＤと当該フォルダに含まれるコンテンツのコンテンツＩＤとを対応づけて構成された階層構造情報を受信する手段としての階層構造表示情報生成部１１と、フォルダＩＤに対応づけて３次元のフォルダ表示オブジェクト１０１が格納されるフォルダ表示オブジェクト管理データベース１５から、受信された階層構造情報に含まれるフォルダＩＤに対応する３次元のフォルダ表示オブジェクト１０１を検索するとともに、コンテンツＩＤに対応づけて３次元のコンテンツ表示オブジェクトが格納されるコンテンツ表示オブジェクト管理データベース１６から、当該階層構造情報に含まれるコンテンツＩＤに対応する３次元のコンテンツ表示オブジェクトを検索する手段としての表示オブジェクト管理部１４と、検索された３次元のフォルダ表示オブジェクト１０１と３次元のコンテンツ表示オブジェクトとを基に、階層構造を３次元表示するための階層構造表示情報を生成するとともに、階層構造が当該階層構造表示情報により３次元表示された２次元の表示領域で位置が指定された場合の当該位置の位置情報を受信して、前記生成した階層構造表示情報を当該受信した位置情報により変更する手段としての階層構造表示情報生成部１１とを備えるので、立体感をもった階層構造の表示が行え、そのため、階層構造を容易に把握することができる。
【００３５】
また、検索された３次元のフォルダ表示オブジェクト及び３次元のコンテンツ表示オブジェクトの表示座標を階層構造情報を基に演算する手段としてのフォルダ表示座標演算部１２及びコンテンツ表示座標演算部１３を備え、階層構造表示情報を生成変更する手段としての階層構造表示情報生成部１１は、当該表示座標を用いるので、立体感をもった階層構造の表示が行える。
【００３６】
また、３次元のフォルダ表示オブジェクト１０１とコンテンツ表示オブジェクト１０２とを検索する手段としての表示オブジェクト管理部１４は、フォルダＩＤとフォルダ表示オブジェクト１０１を受信して、フォルダ表示オブジェクト管理データベース１５に格納し、コンテンツＩＤとコンテンツ表示オブジェクト１０２を受信して、コンテンツ表示オブジェクト管理データベース１６に格納するので、立体感をもった階層構造の表示が行える。
【００３７】
なお、階層構造表示制御装置１を汎用コンピュータなどで構成するためのプログラムは、半導体メモリ、磁気ディスク、光ディスク、光磁気ディスク、磁気テープなどのコンピュータ読み取り可能な記録媒体に記録したり、インターネットなどの通信網を介して伝送させて、流通性を高めることができる。
【００３８】
【発明の効果】
以上説明したように、本発明によれば、フォルダのフォルダＩＤと当該フォルダに含まれるコンテンツのコンテンツＩＤとを対応づけて構成された階層構造情報を受信する手段と、フォルダＩＤに対応づけて３次元のフォルダ表示オブジェクトが格納されるフォルダ表示オブジェクト管理データベースから、前記受信された階層構造情報に含まれるフォルダＩＤに対応する３次元のフォルダ表示オブジェクトを検索するとともに、コンテンツＩＤに対応づけて３次元のコンテンツ表示オブジェクトが格納されるコンテンツ表示オブジェクト管理データベースから、当該階層構造情報に含まれるコンテンツＩＤに対応する３次元のコンテンツ表示オブジェクトを検索する手段と、検索された３次元のフォルダ表示オブジェクトと３次元のコンテンツ表示オブジェクトとを基に、階層構造を３次元表示するための階層構造表示情報を生成するとともに、階層構造が当該階層構造表示情報により３次元表示された２次元の表示領域で位置が指定された場合の当該位置の位置情報を受信して、前記生成した階層構造表示情報を当該受信した位置情報により変更する手段とを備えるので、立体感をもった階層構造の表示が行え、そのため、階層構造を容易に把握することができる。
【図面の簡単な説明】
【図１】本実施の形態の構成を示す図である。
【図２】本実施の形態の作用を示す図である。
【図３】階層構造表示情報２００による階層構造の表示画面を示す図である。
【図４】階層構造表示情報２０１による階層構造の表示画面を示す図である。
【符号の説明】
１  階層構造表示制御装置
２  階層構造管理装置
３  ３Ｄブラウザ
４  マウス管理装置
１１  階層構造表示情報生成部
１２  フォルダ表示座標演算部
１３  コンテンツ表示座標演算部
１４  表示オブジェクト管理部
１５  フォルダ表示オブジェクト管理データベース
１６  コンテンツ表示オブジェクト管理データベース
１００  階層構造情報
１０１  ３次元のフォルダ表示オブジェクト
１０２  ３次元のコンテンツ表示オブジェクト
２００，２０１  階層構造表示情報
【図１】
2004171456.tif 000003
【図２】
2004171456.tif 000004
【図３】
2004171456.tif 000005
【図４】
2004171456.tif 000006